【事件の表示】
　特願２０００−３８０９４７「毛髪用組成物」拒絶査定不服審判事件〔平成１４年　６月２６日出願公開、特開２００２−１７９５３５〕について、次のとおり審決する。
【結　論】
　本件審判の請求は、成り立たない。
【理　由】
１．手続の経緯
　本願は、平成１２年１２月１４日の出願であって、拒絶理由通知に応答し平成２２年２月１０日付けで手続補正書と意見書が提出されたが、平成２２年７月２８日付けで拒絶査定がなされ、これに対し、平成２２年１１月１日に拒絶査定不服審判が請求されたものである。
　
２．本願発明
　本願の請求項１ないし９に係る発明は、平成２２年２月１０日付け手続補正書の特許請求の範囲の請求項１ないし９に記載された事項により特定されるとおりのものであり、そのうち請求項１に係る発明（以下、「本願発明」ともいう。）は次のとおりのものである。
　「【請求項１】　下記の一般式（１）で表される反応性シリコーン系ブロック共重合体（Ａ）の一種または二種以上を組成物全量基準で０．０１〜１０重量％及び下記の一般式（４）で示される第４級アンモニウム塩（Ｄ）の一種または二種以上を組成物全量基準で０．０１〜５．０重量％含有し、かつ、
　該反応性シリコーン系ブロック共重合体（Ａ）は、予め、組成物全量基準で０．０１〜８０重量％の、液状の環状シリコーン（Ｇ）、液状の鎖状シリコーン（Ｈ）、液状のイソパラフィン系炭化水素（Ｉ）及び液状または固体のエステル油（Ｊ）からなる群から選ばれる少なくとも一種に溶解されていることを特徴とする毛髪用リンス効果剤組成物。
一般式（１）：
【化１】
［式中、Ｒ１は互いに独立して、脂肪族不飽和を含まない１価の炭化水素基、水酸基またはアルコキシ基、Ｘ１は
一般式：
　　　−Ｒ３−Ｚ１　
（Ｒ３は直接結合または炭素原子数１〜２０の２価炭化水素基、Ｚ１はアミノ基含有基またはアンモニウム基含有基を表す。）で表される反応性官能基を表し、Ｒ２は互いに独立して、Ｒ１またはＸ１のいずれかを表し、ｎは２〜４の整数であり、ａは少なくとも２の整数であり、ｃは少なくとも４の整数であり、ｄは少なくとも２の整数であり、ｂ×ｄは少なくとも１の数であり、Ｙは炭素−珪素によって隣接珪素原子にそして酸素原子によってポリオキシアルキレンブロックに結合している２価の有機基を表し、各シロキサンブロックの平均分子量は２５０〜１，０００，０００であり、各ポリオキシアルキレンブロックの平均分子量は２００〜１０，０００であり、シロキサンブロックは共重合体の２５〜９５重量％を構成し、そしてブロック共重合体の平均分子量は、２０，０００〜１，５００，０００である。］
一般式（４）：
【化２】
（式中、Ｒ１２は炭素原子数１０〜２４のアルキル基、ヒドロキシアルキル基、または炭素原子数１０〜２４のアルキル基が結合したアシロキシアルキル基又はアミドアルキル基を表し、Ｒ１４およびＲ１５は独立して、炭素原子数１〜３のアルキル基もしくはヒドロキシアルキル基またはベンジル基を表し、Ｒ１３はＲ１２、Ｒ１４またはＲ１５のいずれかを表し、Ｘはハロゲン原子または炭素原子数１〜２のアルキル硫酸基を表す。）」
　
３．引用例
　原査定の拒絶理由に引用された本願出願日前の刊行物である特開平９−１８３８５４号公報（以下、「引用例１」という。）、特開平５−８５９１８号公報（以下、「引用例２」という。）、及び、拒絶査定において周知の技術的事項を述べるための参考文献として示された特開平１−２０３３１４号公報（以下、「周知例」という。）には、次の技術事項が記載されている。なお、下線は当審で付した。
　
［引用例１］
　（1-i）「【請求項１】次式：
【化１】
（式中、
Ｒ１は脂肪族不飽和を含まない１価の炭化水素基を表し、
Ｘはアミノ基含有基を表し、
Ｒ２はＲ１またはＸのいずれかを表し、
ｎは２ないし４の整数を表し、
ａは１以上の整数を表し、
ｂは０または１以上の整数を表し、
ｃは４以上の整数を表し、
ｄは２以上の整数を表し、
Ｙは炭素−ケイ素結合を介して隣接ケイ素原子に、そして酸素原子を介してポリオキシアルキレンブロックに結合している２価の有機基を表し、
各ポリシロキサンブロックの平均分子量は３００ないし３００００であり、各ポリオキシアルキレンブロックの平均分子量は２００ないし１００００であり、
ブロック共重合体の全ポリオキシアルキレンブロックの少なくとも６０重量％が−ＣＨ２ＣＨ２Ｏ−基であり、
ポリシロキサンブロックはブロック共重合体の５ないし７０重量％を構成し、そしてブロック共重合体は少なくとも１２００の平均分子量を有し、かつ、アミノ基を少なくとも１つ含有する）で表されるアミノ変性ポリシロキサン−ポリオキシアルキレンブロック共重合体。
【請求項２】〜【請求項４】・・・（略）・・・
【請求項５】
請求項１記載のアミノ変性ポリシロキサン−ポリオキシアルキレンブロック共重合体を含有する水系化粧料
【請求項６】　・・・（後略）」（特許請求の範囲【請求項１】、【請求項５】参照）
　（1-ii）「【０００５】また、化粧品分野でもアミノ変性ジメチルポリシロキサンが毛髪や皮膚への良好な吸着性および感触の向上効果ならびに枝毛の防止および修復効果等を有することから使用されている。しかしながら、繊維処理剤と同様に、静電気の発生による埃や汚れの付着や、水系にすることの困難さ等の問題があった。」（段落【０００５】参照）
　（1-iii）「【０００７】（前略）・・・
また、毛髪や皮膚に撥水性をほとんど付与することなしに、
持続性のある感触向上効果や枝毛の防止および修復効果を付与することができる
　（1-iv）「【００１３】本発明のアミノ変性ポリシロキサン−ポリオキシアルキレンブロック共重合体の具体例としては、例えば下式（１）〜（７）で表される化合物を挙げることができるが、もちろんこれらに限定されるものではない。
【化１０】
（ポリシロキサンブロックの平均分子量　　　　　　　　　２６１４
　ポリオキシアルキレンブロックの平均分子量　　　　　　１２７２
　ポリオキシエチレンブロック／ポリオキシアルキレンブロック（前者の後者中に占める割合，以下「／」による表示は同様）　　　　７２．６重量％
　ポリシロキサンブロック／ブロック共重合体　　　　　　６５．１重量％
　ブロック共重合体の平均分子量　　　　　　　　　　　４８１６８）
・・・（後略）。」（段落【００１３】参照）
　（1-v）「【００２３】本発明の水系化粧料においては、アミノ変性ポリシロキサン−ポリオキシアルキレンブロック共重合体の配合量は特に限定されないが、
好ましくは０．０１ないし８０重量％であり、特に好ましくは０．１ないし４０重量％である。
上記共重合体は予め揮発性環状シリコーン類に溶解または分散させてから配合すると、取扱いが容易で、かつ毛髪や皮膚によくなじむので好ましい。
リンス剤、
　（1-vi）「【００２４】本発明の水系化粧料には
通常水系化粧料に配合されている添加剤を本発明の効果が損なわれない程度に配合することができる
界面活性剤
　（1-vii）「【００２５】
【実施例】次に本発明を実施例に基づいて説明するが、本発明はこれらに限定されるものではなく、本発明の技術的思想を利用する実施態様は全て本発明の範囲内に含まれるものである。
【００２６】まず、以下の実施例において使用したシリコーン化合物を下に示す。これらのシリコーン化合物ＡないしＬは表１ないし７のシリコーン化合物の欄の表記に一致する。
シリコーン化合物Ａ：上記式（１）で表される化合物
シリコーン化合物Ｂ：上記式（２）で表される化合物
シリコーン化合物Ｃ：上記式（３）で表される化合物
シリコーン化合物Ｄ：上記式（４）で表される化合物
シリコーン化合物Ｅ：上記式（７）で表される化合物
シリコーン化合物Ｆ：ジメチルポリシロキサンガム（分子量２×１０6 ）
シリコーン化合物Ｇ：次式
【化２１】・・・略・・・
（ポリシロキサンブロックの平均分子量　　　　　　　　　３１３２
　ポリオキシアルキレンブロックの平均分子量　　　　　　１５０２
　ポリオキシエチレンブロック／ポリオキシアルキレンブロック
　　　　　　　　　　　　　　　　　　　　　　　　　　　４９．８重量％
　ポリシロキサンブロック／ブロック共重合体　　　　　　６５．８重量％
　ブロック共重合体の平均分子量　　　　　　　　　　　５７１４４）
で表される化合物
・・・（後略）。」（段落【００２５】〜【００２６】参照）
　（1-viii）「【００３７】実施例８：
毛髪化粧料（一般例）
表６および表７に示した組成の本発明品の水系組成物および比較品を常法により調製し、外観を観察した。また、それらの組成物で毛髪を下記方法に従って評価した。結果を表６および表７にまとめて示す。表６および表７からわかるように、本発明品は水系であるにもかかわらず、評価した外観、枝毛の接着効果、感触、帯電防止性の全てに優れ、
洗髪やブラッシングによってもその効果の低下は少なく、
　
［引用例２］
　（2-i）「【請求項１】 一般式：
【化１】
［式中、Ｒ１はメチル基または一部がフェニル基を表し、Ｒ２はＲ３と同一またはメチル基または水酸基を表す。Ｒ３は式Ｒ４Ｚ｛Ｒ４は３から６の炭素原子を有する２価のアルキレン基を表し、Ｚは−ＮＲ５２、−Ｎ＋Ｒ５３Ａ−、−ＮＲ５（ＣＨ２）aＮＲ５２、−ＮＲ５（ＣＨ２）aＮ＋Ｒ５３Ａ−および−ＮＲ５（ＣＨ２）aＮ（Ｒ５）Ｃ＝Ｏ（Ｒ６）（Ｒ５は水素または１から４の炭素原子を有するアルキル基を表し、Ｒ６は１から４の炭素原子を有するアルキル基を表し、ＡはＣｌ、ＢｒまたはＩを表し、ａは２から６の整数である。）からなる群から選ばれる１価の基を表す。｝で表されるアミノ基またはアンモニウム基を有する置換基を表し、ｍおよびｎはそれぞれ正の整数でｍ＋ｎは３，０００〜２０，０００の整数を表し、ｎ／ｍは１／５００〜１／１０，０００である。］で表されるアミノ変性またはアンモニウム変性高分子シリコーンの一種または二種以上を配合することを特徴とする毛髪用組成物。」（特許請求の範囲【請求項１】参照）
　（2-ii）「【請求項２】
請求項１記載のアミノ変性またはアンモニウム変性高分子シリコーンの一種または二種以上を０．１〜１０重量％と
（式中、Ｒ７は炭素数１４〜２２のアルキル基またはヒドロキシアルキル基を表し、Ｒ８，Ｒ９およびＲ１０は独立して、炭素数１〜３のアルキル基もしくはヒドロキシアルキル基またはベンジル基を表し、Ｘはハロゲン原子または炭素数１〜２のアルキル硫酸基を表す。）で示される
第４級アンモニウム塩の一種または二種以上を０．１〜５．０重量％配合することを特徴とする毛髪用組成物。
　（2-iii）「【請求項４】アミノ変性またはアンモニウム変性高分子量シリコーンを
液状の環状シリコーンに溶解せしめたものを配合する
【請求項５】アミノ変性またはアンモニウム変性高分子量シリコーンを
液状の鎖状シリコーンに溶解せしめたものを配合する
【請求項６】アミノ変性またはアンモニウム変性高分子量シリコーンを
液状のイソパラフィン系炭化水素に溶解せしめたものを配合する
　（2-iv）「【０００４】一方、
毛髪に滑らかさや光沢を付与し、櫛通りを良くするという、いわゆるリンス効果をもつ毛髪用組成物は、一般にヘアーリンス、ヘアートリートメント、ヘアーコンディショナー等の名称で市販されている。これらの毛髪用組成物には、通常、第４級アンモニウム塩が配合されており、これが毛髪に吸着することにより、前記のいわゆるリンス効果を与えることが知られる。
　（2-v）「【００１２】本発明のシリコーンを組成物中に配合する場合、
液状の油に溶解して配合することが好ましい。もちろん、毛髪用組成物中に別々に配合して系中で溶解させてもよい。液状油としては、鎖状シリコーンや環状シリコーンまたはイソパラフィン系炭化水素等を挙げることができる。
　（2-vi）「【００１３】（前略）・・・
上記低沸点油は、任意の一種または二種以上を用いることができ、
合計の配合量が高分子量シリコーンに対して１〜５０倍（重量）が好ましく、毛髪用組成物全量中の１０〜８０重量％となるように選ぶことが好ましい。
　（2-vii）「【００１４】本発明の組成物を
リンス効果剤として用いる場合の第４級アンモニウム塩
　（2-viii）「【００１５】（前略）・・・。前記式２で示される第４級アンモニウム塩の１種または２種以上からなる成分の配合量は、
毛髪用組成物全体の０．１〜５．０重量％の範囲、好ましくは０．６〜３．０重量％の範囲である。０．１重量％未満の配合量では毛髪用組成物としてのリンス効果が充分に得られない。５．０重量％を超える配合量では、毛髪用組成物の粘度が高くなりすぎるので、好ましくない。
　
［周知例］
　（3-i）「(1)下記一般式［Ｉ］で表わされる高分子量シリコーンの一種又は二種以上と、下記一般式［II］で示されるシリコーン重合体と、
陽イオン界面活性剤の一種又は二種以上
（Ｒ１はメチル基又は一部がフェニル基を表わし、Ｒ２はメチル基又は水酸基を表わす。又、ｎは３，０００〜２０，０００の整数を表わす。）
（式中、Ｒは水素又はトリメチルシリル基を表し、Ｒ３はヒドロキシル基又はメチル基を表し、Ｒ４は炭素原子１ないし６をもつアルキレン基を表し、Ｒ５は炭素原子１ないし４をもつアルキレン基を表し、ｘは４〜５００の数を表し、ｙは１〜１５の数を表す。）」（特許請求の範囲第（１）項参照）
　（3-ii）「
本発明で用いられる陽イオン界面活性剤は、下記一般式で示される第４級アンモニウム塩型陽イオン界面活性剤が時に好ましい
［式中、Ｒ８、Ｒ９はメチル基又はエチル基又はポリオキシエチレン基を表し、
　（i）Ｒ６及びＲ７は炭素原子８ないし１８をもつアルキル基又はアルケニル基を表すか、あるいは
　（ii）Ｒ６は炭素原子１２ないし２２をもつアルキル基又はアルケニル基を表し、Ｒ７はメチル基又はエチル基又はポリオキシエチレン基又はベンジル基を表し、（i）及び（ii）ともにＸはハロゲン原子又はメチルサルフェート又はエチルサルフェート残基を表す。］」（第２頁右下欄下から２行〜第３頁左上欄下から６行参照）
　（3-iii）「本発明で用いられる陽イオン界面活性剤の含有量は、
０．０１〜５重量％が好ましく、さらに好ましくは、０．０５〜２重量％である。０．０１重量％未満の場合は、毛髪のなめらかさ、しなやかさは低減し、また５重量％を越えると、毛髪のなめらかさ、しなやかさはほぼ上限に達し経済的でない。
　（3-iv）「本発明の高分子量シリコーンを配合する場合、
低沸点鎖状シリコーン油や、低沸点環状シリコーン油や、低沸点イソパラフィン系炭化水素、炭化水素のフルオルクロル置換体等の揮発性油分に溶解して用いることが好ましい。
　（3-v）「上記低沸点油は任意の一種又は二種以上を用いることができ、
合計の配合量は高分子量シリコーンに対して１〜５０倍（重量）が好ましい。
　
４．対比、判断
　上記引用例１の特許請求の範囲の請求項１を引用する請求項５には、【化１】で表されるアミノ変性ポリシロキサン−ポリオキシアルキレンブロック共重合体を含有する水系化粧料が記載されていること（摘示（1-i）参照）、及び、該水系化粧料は実施例８で毛髪化粧料が調製されている（摘示（1-viii）参照）のに鑑み「毛髪化粧料」を含むことから、引用例１には、次の発明（以下、「引用例１発明」という。）が実質的に開示されていると認められる。
＜引用例１発明＞　
　「次式：
【化１】
（式中、Ｒ１は脂肪族不飽和を含まない１価の炭化水素基を表し、Ｘはアミノ基含有基を表し、Ｒ２はＲ１またはＸのいずれかを表し、ｎは２ないし４の整数を表し、ａは１以上の整数を表し、ｂは０または１以上の整数を表し、ｃは４以上の整数を表し、ｄは２以上の整数を表し、Ｙは炭素−ケイ素結合を介して隣接ケイ素原子に、そして酸素原子を介してポリオキシアルキレンブロックに結合している２価の有機基を表し、各ポリシロキサンブロックの平均分子量は３００ないし３００００であり、各ポリオキシアルキレンブロックの平均分子量は２００ないし１００００であり、ブロック共重合体の全ポリオキシアルキレンブロックの少なくとも６０重量％が−ＣＨ２ＣＨ２Ｏ−基であり、ポリシロキサンブロックはブロック共重合体の５ないし７０重量％を構成し、そしてブロック共重合体は少なくとも１２００の平均分子量を有し、かつ、アミノ基を少なくとも１つ含有する）で表されるアミノ変性ポリシロキサン−ポリオキシアルキレンブロック共重合体を含有する毛髪化粧料。」
  
　そこで、本願発明と引用例１発明を対比する。
　（ａ）引用例１発明の「アミノ変性ポリシロキサン−ポリオキシアルキレンブロック共重合体」（【化１】式）は、本願発明の「反応性シリコーン系ブロック共重合体（Ａ）」（（１）式）に対応するものであることは、両者の化学構造式を対比すると明らかである。なお、引用例１の【化１】式の左側端にある基「−Ｙ−」が、本願発明の（１）式では右側端にある基「Ｙ」となっているが、これは単なるポリマー化学構造式の標記上の差異にすぎない。
　そして、
　（i）該引用例１発明の【化１】式における基「Ｒ１」は、「脂肪族不飽和を含まない１価の炭化水素基」であるから、本願発明の一般式（１）における基「Ｒ１」において「脂肪族不飽和を含まない１価の炭化水素基」を選択した場合に相当する。なお、本願発明では基「Ｒ１」は「互いに独立して」とされているのに対し、引用例１発明ではその記載は無いが、互いに独立して選択することは適宜と認められる。
　（ii）同じく基「Ｘ」は、「アミノ基含有基」であるから、本願発明の基「Ｘ１」においてＺ１として「アミノ基含有基」を選択した基「−Ｒ３−Ｚ１」（基「Ｒ３」として炭素原子数１〜２０の２価炭化水素基）で表される反応性官能基に相当する。なお、このとき該基「Ｘ」は、引用例１の実施例において例えば「−（ＣＨ２）３−」（摘示（1-vii）のシリコーン化合物Ａ、即ち（1-iv）の式（１）を参照）を介してアミノ基が結合しているので、該「−（ＣＨ２）３−」が、本願発明の基「Ｒ３」として炭素原子数３の２価炭化水素基を選択したことに対応するので、基「Ｒ３」に対応する明示はなくとも実質的な相違ではなく、また、アミノ基が反応性官能基と理解できるから、基「Ｘ」に「反応性官能基」の表現があるか否かは実質的な相違ではない。
　（iii）同じく基「Ｒ２」は、「Ｒ１またはＸのいずれか」であって、基「Ｘ」と基「Ｘ１」との表現上の相違はあっても、本願発明の基「Ｒ２」と一致する。なお、本願発明では基「Ｒ2」は「互いに独立して」とされているのに対し、引用例１発明ではその記載は無いが、互いに独立して選択することは適宜と認められる。
　（iv）同じく基「Ｙ」は、「炭素−ケイ素結合を介して隣接ケイ素原子に、そして酸素原子を介してポリオキシアルキレンブロックに結合している２価の有機基」であって、表現が若干異なるものの、本願発明の基「Ｙ」と一致する。
　（v）同じく各整数「ｎ」、「ａ」、「ｂ」、「ｃ」、「ｄ」は、本願発明の各整数「ｎ」、「ａ」、「ｂ」、「ｃ」、「ｄ」にそれぞれ対応し、両者の「ｎ」は「２ないし４の整数」（「２〜４の整数」）で一致し、引用例１発明の「ａ」は「１以上の整数」であるので本願発明の「ａ」の「少なくとも２の整数」と重複し、両者の「ｃ」は「４以上の整数」（「少なくとも４の整数」）で一致し、引用例１発明「ｂ」と「ｄ」はそれぞれ「０または１以上の整数」と「２以上の整数」であり、「ｂ」として「１以上の整数」を選択するとｂ×ｄは２以上の整数を採り得るので、本願発明の「ｂ×ｄ」の「少なくとも１の数」とは、「ｂ×ｄ」が「少なくとも２の数」で重複する。
　更に、
　（ア）各ポリシロキサンブロックの平均分子量の範囲（引用例１発明の３００ないし３００００は、本願発明の２５０〜１，０００，０００とは、３００〜３００００で重複する）、（イ）各ポリオキシアルキレンブロックの平均分子量の範囲（引用例１発明の２００ないし１００００、本願発明の２００〜１０，０００と一致する）、（ウ）ブロック共重合体におけるポリシロキサンブロックの割合（引用例１発明の５〜７０重量％、本願発明の２５〜９５重量％とは、２５〜７０重量％で重複する）、及び（エ）ブロック共重合体の平均分子量の範囲（引用例１発明の少なくとも１２００は、本願発明の２０，０００〜１，５００，０００とは、２００００〜１５０００００で重複する）も、本願発明と重複する範囲を含んでいるし、かつ、引用例１の実施例で使用される例えばシリコーン化合物Ａ（式（１））は、
「ポリシロキサンブロックの平均分子量　　　　　　　　　２６１４
　ポリオキシアルキレンブロックの平均分子量　　　　　　１２７２
　・・・中略・・・
　ポリシロキサンブロック／ブロック共重合体　　　　　　６５．１重量％
　ブロック共重合体の平均分子量　　　　　　　　　　　４８１６８」のものであり、前記（ア）〜（エ）についての平均分子量や重量％の数値も、前記重複する範囲に合致するものである（摘示（1-iv）と（1-vii）参照）。
　以上の対比からみて、引用例１発明の「【化１】式」の「アミノ変性ポリシロキサン−ポリオキシアルキレンブロック共重合体」は、本願発明の「一般式（１）で表される反応性シリコーン系ブロック共重合体（Ａ）」に相当する。
　なお、引用例１発明の【化１】式では、更に、「ブロック共重合体の全ポリオキシアルキレンブロックの少なくとも６０重量％が−ＣＨ２ＣＨ２Ｏ−基であり」と特定されているのに対し、本願発明では、そのような特定がなされていないが、「−ＣＨ２ＣＨ２Ｏ−」即ちｎ＝２を任意に採り得ることから実質的な相違点とは言えない。
　（ｂ）引用例１には、「本発明の水系化粧料においては、アミノ変性ポリシロキサン−ポリオキシアルキレンブロック共重合体の配合量は特に限定されないが、好ましくは０．０１ないし８０重量％であり、特に好ましくは０．１ないし４０重量％である。」（摘示（1-v）参照）という記載があり、また、実施例の本発明品Ｎｏ．１では、シリコーン化合物Ａを５．０重量％配合したものが示されている（摘示（1-viii）参照）ことに鑑み、引用例１発明の「アミノ変性ポリシロキサン−ポリオキシアルキレンブロック共重合体」の組成物全量における配合量は、本願発明で特定される範囲「組成物全量基準で０．０１〜１０重量％」と重複している。なお、本願発明では、反応性シリコーン系ブロック共重合体（Ａ）を「一種または二種以上」とされているが、一種あれば足りるので、引用例１発明との相違点とはなり得ない。
　
　してみると、両発明は、本願発明の表現を借りて表すと、
　「下記の一般式（１）で表される反応性シリコーン系ブロック共重合体（Ａ）を組成物全量基準で０．０１〜１０重量％とする毛髪用組成物。
一般式（１）：
【化１】
［式中、Ｒ１は互いに独立して、脂肪族不飽和を含まない１価の炭化水素基、Ｘ１は一般式：−Ｒ３−Ｚ１（Ｒ３は炭素原子数１〜２０の２価炭化水素基、Ｚ１はアミノ基含有基を表す。）で表される反応性官能基を表し、Ｒ２は互いに独立して、Ｒ１またはＸ１のいずれかを表し、ｎは２〜４の整数であり、ａは少なくとも２の整数であり、ｃは少なくとも４の整数であり、ｄは少なくとも２の整数であり、ｂ×ｄは少なくとも２の数であり、Ｙは炭素−珪素によって隣接珪素原子にそして酸素原子によってポリオキシアルキレンブロックに結合している２価の有機基を表し、各シロキサンブロックの平均分子量は３００〜３００００であり、各ポリオキシアルキレンブロックの平均分子量は２００〜１００００であり、シロキサンブロックは共重合体の２５〜７０重量％を構成し、そしてブロック共重合体の平均分子量は、２００００〜１５０００００である。］」
で一致し、次の相違点Ａ〜Ｃで一応相違している。
＜相違点＞
　Ａ．本願発明では、さらに「下記の一般式（４）で示される第４級アンモニウム塩（Ｄ）
一般式（４）：
【化２】
（式中、Ｒ１２は炭素原子数１０〜２４のアルキル基、ヒドロキシアルキル基、または炭素原子数１０〜２４のアルキル基が結合したアシロキシアルキル基又はアミドアルキル基を表し、Ｒ１４およびＲ１５は独立して、炭素原子数１〜３のアルキル基もしくはヒドロキシアルキル基またはベンジル基を表し、Ｒ１３はＲ１２、Ｒ１４またはＲ１５のいずれかを表し、Ｘはハロゲン原子または炭素原子数１〜２のアルキル硫酸基を表す。）
の一種または二種以上を組成物全量基準で０．０１〜５．０重量％含有し」と特定されているのに対し、引用例１発明では、その他の必須成分は特定されていない点
　Ｂ．本願発明では、反応性シリコーン系ブロック共重合体（Ａ）は、「予め、組成物全量基準で０．０１〜８０重量％の、液状の環状シリコーン（Ｇ）、液状の鎖状シリコーン（Ｈ）、液状のイソパラフィン系炭化水素（Ｉ）及び液状または固体のエステル油（Ｊ）からなる群から選ばれる少なくとも一種に溶解されている」のに対し、引用例１発明ではそのように特定されていない点
　Ｃ．「毛髪用組成物」について、本願発明では、「毛髪用リンス効果剤組成物」であると特定されているのに対し、引用例１発明では「リンス効果剤」と特定されていない点
　
　そこで、これらの相違点について、相違点Ｃ、相違点Ａ、相違点Ｂの順に検討する。
（１）相違点Ｃについて
　引用例１には、「毛髪や皮膚に撥水性をほとんど付与することなしに、持続性のある感触向上効果や枝毛の防止および修復効果を付与することができることを見出し」たことが記載され（摘示（1-iii）参照）、その特性を生かしてシャンプー剤やリンス剤などの用途に使用することが記載され（摘示（1-v）参照）ていることに鑑みると、水系化粧料の用途として「リンス剤」が明記されているといえることから、引用例１発明の毛髪化粧料を「毛髪用リンス効果剤組成物」とすることは、当業者が適宜なし得たことである。
　
（２）相違点Ａについて
　引用例１には、「化粧品分野でもアミノ変性ジメチルポリシロキサンが毛髪や皮膚への良好な吸着性および感触の向上効果ならびに枝毛の防止および修復効果等を有することから従来より使用されている。しかしながら繊維処理剤と同様に、静電気の発生による埃や汚れの付着や、水系にすることの困難さ等の問題があった。」（摘示（1-ii）参照）として、従来の化粧品の問題点が指摘され、引用例１発明においてこれらの問題点を克服して、「毛髪や皮膚に撥水性をほとんど付与することなしに、持続性のある感触向上効果や枝毛の防止および修復効果を付与することができることを見出し」たことが記載され（摘示（1-iii）参照）、その特性を生かしてシャンプー剤やリンス剤などの用途に使用することが記載され（摘示（1-v）参照）、またその際に通常使用されている例えば界面活性剤などの添加剤を配合できることが記載されている（摘示（1-vi）参照）。
　一方、引用例２には、「毛髪に滑らかさや光沢を付与し、櫛通りを良くするという、いわゆるリンス効果をもつ毛髪用組成物は、一般にヘアーリンス、ヘアートリートメント、ヘアーコンディショナー等の名称で市販されている。これらの毛髪用組成物には、通常、第４級アンモニウム塩が配合されており、これが毛髪に吸着することにより、前記のいわゆるリンス効果を与えることが知られる。」（摘示（2-iv）参照）として、ヘアーリンス、ヘアートリートメント、ヘアーコンディショナー等として市販されている、リンス効果をもつ毛髪用組成物には、通常、リンス効果を与える第４級アンモニウム塩が配合されていることが記載されており、また、アミノ変性またはアンモニウム変性高分子シリコーンを含有する毛髪用組成物に、「一般式：
【化２】
（式中、Ｒ７は炭素数１４〜２２のアルキル基またはヒドロキシアルキル基を表し、Ｒ８，Ｒ９およびＲ１０は独立して、炭素数１〜３のアルキル基もしくはヒドロキシアルキル基またはベンジル基を表し、Ｘはハロゲン原子または炭素数１〜２のアルキル硫酸基を表す。）で示される第４級アンモニウム塩の一種または二種以上を０．１〜５．０重量％配合すること」も記載され（摘示（2-ii）参照）、また、「本発明の組成物をリンス効果剤として用いる場合の第４級アンモニウム塩は、上記一般式２の基Ｒ7が炭素数１４〜２２のアルキル基、例えばセチル基、ステアリル基、ベヘニル基等である。」との記載（摘示（2-vii）参照）もある。また、引用例２に記載されているものと同様の第４級アンモニウム塩は、陽イオン界面活性剤としてのこの出願前広く知られているものであり（摘示（3-ii）参照）シリコーン重合体を含有する毛髪化粧料に配合されて（摘示（3-i）参照）、毛髪になめらかさやしなやかさを与えることも知られている（摘示（3-iii）参照）。
　このように、引用例１には、引用例１発明の毛髪化粧料をリンス剤として用いること、その際に通常水系化粧料に配合されている界面活性剤などの添加剤を配合できることが示唆されており、一方で、リンス効果を与えるために界面活性剤である第４級アンモニウム塩をリンス剤に配合することが通常行われているという技術背景があり、さらに、シリコーン重合体を含有する毛髪用組成物において、本願発明の一般式（４）で示される第４級アンモニウム塩が実際に使用されていること等を鑑みると、引用例１発明において、リンス剤としての用途を考慮し、組成物にリンス効果を与える添加剤としてこの出願前広く知られている第４級アンモニウム塩を必須成分として配合することは、当業者が容易に想到できたことである。
　またその際に、第４級アンモニウム塩によるリンス効果が効果的に発現される含有量の範囲について検討し、引用例２の「前記式２で示される第４級アンモニウム塩の１種または２種以上からなる成分の配合量は、毛髪用組成物全体の０．１〜５．０重量％の範囲、好ましくは０．６〜３．０重量％の範囲である。０．１重量％未満の配合量では毛髪用組成物としてのリンス効果が充分に得られない。５．０重量％を超える配合量では、毛髪用組成物の粘度が高くなりすぎるので、好ましくない。」という記載（摘示（2-viii）参照）、周知例の「本発明で用いられる陽イオン界面活性剤の含有量は、０．０１〜５重量％が好ましく、さらに好ましくは、０．０５〜２重量％である。０．０１重量％未満の場合は、毛髪のなめらかさ、しなやかさは低減し、また５重量％を越えると、毛髪のなめらかさ、しなやかさはほぼ上限に達し経済的でない。」という記載（摘示（3-iii）参照）等を参考にして、「組成物全量基準で０．０１〜５．０重量％」という適当な範囲に定めることも、当業者であれば容易になし得たことである。
　
（３）相違点Ｂについて
　引用例１発明の「アミノ変性ポリシロキサン−ポリオキシアルキレンブロック共重合体を含有する毛髪化粧料」について、引用例１には、「上記共重合体は予め揮発性環状シリコーン類に溶解または分散させてから配合すると、取扱いが容易で、かつ毛髪や皮膚によくなじむので好ましい。」と記載されており（摘示（1-v）参照）、また、引用例２には、アミノ変性またはアンモニウム変性高分子シリコーンを含有する毛髪用組成物において、アミノ変性またはアンモニウム変性高分子シリコーンを、液状の環状または鎖状シリコーン、液状のイソパラフィン系炭化水素に溶解させて配合することが記載されている（摘示（2-iii）、（2-v）参照）。さらに、周知例として示した文献においても、「本発明の高分子量シリコーンを配合する場合、低沸点鎖状シリコーン油や、低沸点環状シリコーン油や、低沸点イソパラフィン系炭化水素、炭化水素のフルオルクロル置換体等の揮発性油分に溶解して用いることが好ましい。」との記載がある（摘示（3-iv）参照）。
　これらの記載からすると、毛髪用組成物に高分子量のシリコーンを配合する場合、上記のような低沸点の揮発性油分に予め溶解させて配合することが好ましい形態として広く知られているものと認められ、引用例１発明においても、「アミノ変性ポリシロキサン−ポリオキシアルキレンブロック共重合体」を、予め液状の環状シリコーン、液状の鎖状シリコーン、液状のイソパラフィン系炭化水素等に溶解させて配合することは当業者が容易に想到できたことである。また、その際にこれらの油分の含有量を「組成物全量基準で０．０１〜８０重量％」と定めることについても、引用例２の、「上記低沸点油は、任意の一種または二種以上を用いることができ、合計の配合量が高分子量シリコーンに対して１〜５０倍（重量）が好ましく、毛髪用組成物全量中の１０〜８０重量％となるように選ぶことが好ましい。」との記載（摘示（2-vi）参照）や、周知例の「上記低沸点油は任意の一種又は二種以上を用いることができ、合計の配合量は高分子シリコーンに対して１〜５０倍（重量）が好ましい。」との記載（摘示（3-v）参照）を参照して、当業者が適宜なし得たことである。
　
　そして、上記相違点Ａ〜Ｃに係る本願発明の発明特定事項を併せ採用することに格別の創意工夫が必要であったとは認められず、併せ採用したこによって格別予想外の作用効果を奏しているとも認められない。
　
　ところで、請求人は、審判請求書において、『上記の反応性シリコーン系ブロック共重合体（Ａ）と第４級アンモニウム塩（Ｄ）の組み合わせ効果は、具体的には、水によるすすぎ工程の入るヘアリンス効果剤として用いた時には、繰り返し使用しても毛髪に優れた滑らかさを付与することができるというものであり、しかも、かかる有効成分である反応性シリコーン系ブロック共重合体（Ａ）は、髪全体に均一にされることで、より優れた感触を実現している点である。』、及び、『表５中の比較用試料３は、引用文献５（当審注：引用例２に該当）に記載の「アミノ変性またはアンモニウム変性高分子シリコーンと第４級アンモニウムを併用したもの」に相当するが、この比較用試料３の１０回繰り返し後の滑らかさ評価は、パネラー１５名中、３名以下が「著しく良好」または「良好」と答えたものであって、評価「Ｄ」である。すなわち、引用文献５に記載の「アミノ変性またはアンモニウム変性高分子シリコーン」は、たとえ、第４級アンモニウムとを併用したとしても、本願発明のように優れたヘヤーリンス効果が得られない。』として、本願発明における反応性シリコーン系ブロック共重合体（Ａ）と第４級アンモニウム塩（Ｄ）の組み合わせ効果を主張している。
　しかしながら、引用例１には、本願発明の「一般式（１）で表される反応性シリコーン系ブロック共重合体（Ａ）」に相当する「アミノ変性ポリシロキサン−ポリオキシアルキレンブロック共重合体」を含有する引用例１発明の水系化粧料が、「持続性のある感触向上効果や枝毛の防止および修復効果」を付与するものであることが記載されており（摘示（1-iii）参照）、この記載からすれば、本願発明の毛髪化粧料の「１０回繰り返し後のなめらかさ」とは、上記の特定の共重合体を配合したことに付随する「持続性のある感触向上効果」の発現からくるもので、この重合体を配合していない比較用試料３の評価が「Ｄ」となっているのは当然のことであり、第４級アンモニウムを組み合わせることによると解することはできない。そうであるから、本願の実施例１〜５と比較用試料３の比較だけでは、反応性シリコーン系ブロック共重合体（Ａ）と第４級アンモニウム塩（Ｄ）の組み合わせ効果が予想外であると解することはできないし、他の実施例と比較例（比較用試料）を併せ検討してもその判断を覆す理由は見いだせない。よって、前記請求人の主張は、採用できない。
　
　したがって、本願発明は、引用例１及び２の記載並びに周知技術を勘案し、引用例１発明に基づいて当業者が容易に発明をすることができたものである。
　
５．むすび
　以上のとおりであるから、本願発明は、特許法第２９条第２項の規定により特許を受けることができないものである。
　それゆえ、その余の請求項に係る発明について検討するまでもなく、本願は拒絶すべきものである。
　
　よって、結論のとおり審決する。